(57)【要約】【課題】カルボキシル基を有する高分子吸収剤を含む吸収性物品において、抗菌性と、吸液性とに優れる吸収性物品を提供すること。【解決手段】液透過性シート３と、液不透過性シート５と、液透過性シート３及び液不透過性シート５の間の吸収コア１１とを備える吸収性物品１であって、吸収コア１１が、カルボキシル基を有する高分子吸収剤１７を含み、吸収性物品１が、吸収コア１１と、液不透過性シート５との間に、カチオン性抗菌剤が配置されたカチオン性抗菌剤配置シート２１を備えることを特徴とする吸収性物品１。【選択図】図２
2017221614.tif 000002
【特許請求の範囲】
【請求項１】
液透過性シートと、液不透過性シートと、前記液透過性シート及び液不透過性シートの間の吸収コアとを備える吸収性物品であって、
前記吸収コアが、カルボキシル基を有する高分子吸収剤を含み、
前記吸収性物品が、前記吸収コアと、前記液不透過性シートとの間に、カチオン性抗菌剤が配置されたカチオン性抗菌剤配置シートを備える、
ことを特徴とする、前記吸収性物品。
【請求項２】
前記カチオン性抗菌剤が、カチオン性抗菌剤溶液として、前記カチオン性抗菌剤配置シートに配置されている、請求項１に記載の吸収性物品。
【請求項３】
前記吸収コアが、セルロース系繊維をさらに含む、請求項１又は２に記載の吸収性物品。
【請求項４】
前記吸収コアが、前記吸収コアの厚さ方向の中心面を境界にして、上方領域及び下方領域に区画され、前記上方領域における前記高分子吸収剤の比率が、前記下方領域における前記高分子吸収剤の比率よりも高い、請求項１〜３のいずれか一項に記載の吸収性物品。
【請求項５】
前記吸収コアと、前記カチオン性抗菌剤配置シートとの間に追加シートをさらに含む、請求項１〜４のいずれか一項に記載の吸収性物品。
【請求項６】
前記追加シートのシート密度が、前記カチオン性抗菌剤配置シートのシート密度よりも低い、請求項５に記載の吸収性物品。
【請求項７】
前記追加シートが、セルロース系繊維を含む、請求項５又は６に記載の吸収性物品。
【請求項８】
前記追加シートが疎水性を有する、請求項５〜７のいずれか一項に記載の吸収性物品。
【請求項９】
前記吸収コアと、前記カチオン性抗菌剤配置シートとの間に、液不透過性材料層を有する、請求項１〜８のいずれか一項に記載の吸収性物品。
【請求項１０】
前記液透過性シートの肌当接面と、前記吸収コアの着衣側面との間にカチオン性抗菌剤が配置されていない、請求項１〜９のいずれか一項に記載の吸収性物品。
【発明の詳細な説明】
【技術分野】
【０００１】
本開示は、吸収性物品に関する。
【背景技術】
【０００２】
抗菌剤を含む吸収性物品が知られている。吸収性物品が抗菌剤を含むことにより、吸収した、体液等の液体から、腐敗等による臭気が発生しにくくなる。
例えば、特許文献１には、抗菌性を有する金属を含むカンクリナイト様鉱物、粘土鉱物、針葉樹晒しクラフトパルプ及び広葉樹晒しクラフトパルプを含む消臭抗菌繊維製品、並びに表面シートと吸収体との間、該吸収体内、又は該吸収体と裏面シートとの間に、シート状の形態をした消臭抗菌繊維製品を配した吸収性物品が記載されている。
【先行技術文献】
【特許文献】
【０００３】
【特許文献１】特開２００６−３０７４０４号公報
【発明の概要】
【発明が解決しようとする課題】
【０００４】
特許文献１に記載の吸収性物品では、高分子吸収剤が特定の官能基を有する場合に、高分子吸収剤の吸液性を阻害しない抗菌剤の配置については開示していない。
従って、本開示は、カルボキシル基を有する高分子吸収剤を含む吸収性物品において、抗菌性と、吸液性とに優れる吸収性物品を提供することを目的とする。
【課題を解決するための手段】
【０００５】
本開示者らは、液透過性シートと、液不透過性シートと、上記液透過性シート及び液不透過性シートの間の吸収コアとを備える吸収性物品であって、上記吸収コアが、カルボキシル基を有する高分子吸収剤を含み、上記吸収性物品が、上記吸収コアと、上記液不透過性シートとの間に、カチオン性抗菌剤が配置されたカチオン性抗菌剤配置シートを備えることを特徴とする吸収性物品を見出した。
【発明の効果】
【０００６】
本開示の吸収性物品は、高分子吸収剤がカルボキシル基を有し、抗菌性と、吸液性とに優れる。
【図面の簡単な説明】
【０００７】
【図１】図１は、第１実施形態に従う吸収性物品１の平面図である。
【図２】図２は、図１に示される吸収性物品１のＩＩ−ＩＩ端面における部分端面図である。
【図３】図３は、第２実施形態に従う吸収性物品１を説明するための図である。
【図４】図４は、第３実施形態に従う吸収性物品１を説明するための図である。
【発明を実施するための形態】
【０００８】
［定義］
・カチオン性抗菌剤配置シート
「カチオン性抗菌剤配置シート」は、布帛シートに、カチオン性抗菌剤を配置することにより形成される。
上記布帛シートとしては、吸収性物品を構成する資材のうち、布帛、例えば、不織布、織布、織物等であれば特に制限されず、例えば、液透過性シート、液不透過性シート、コアラップ（上方コアラップ、下方コアラップ）、追加シート、セカンドシート等が挙げられる。
【０００９】
また、カチオン性抗菌剤は、固形状で、又は液状で布帛シートに配置されることができ、カチオン性抗菌剤は、布帛シートを構成する繊維の空隙に少なくとも存在している。なお、カチオン性抗菌剤が固形状であり、布帛シートに固定されていない場合には、カチオン性抗菌剤の一部が、カチオン性抗菌剤配置シートに隣接するシート等に移動し、隣接するシート等に存在する場合がある。また、カチオン性抗菌剤が液状で布帛シートに配置された場合には、例えば、カチオン性抗菌剤溶液が、布帛シートに塗工された場合には、カチオン性抗菌剤配置シートに含まれる、カチオン性抗菌剤溶液の一部が、カチオン性抗菌剤配置シートに隣接するシート等に移動し、隣接するシート等に存在する場合がある。
【００１０】
・「上方」及び「下方」
本明細書では、「上方」及び「下方」は、２つの対比すべき要素の厚さ方向の位置関係を表し、一方の要素が、他方の要素の上方にあるとは、一方の要素が、他方の要素よりも、液透過性シートの肌当接面よりにあることを意味し、そして一方の要素が、他方の要素の下方にあるとは、一方の要素が、他方の要素よりも液不透過性シートの着衣当接面よりにあることを意味する。
【００１１】
本開示は、以下の態様に関する。
［態様１］
液透過性シートと、液不透過性シートと、上記液透過性シート及び液不透過性シートの間の吸収コアとを備える吸収性物品であって、
上記吸収コアが、カルボキシル基を有する高分子吸収剤を含み、
上記吸収性物品が、上記吸収コアと、上記液不透過性シートとの間に、カチオン性抗菌剤が配置されたカチオン性抗菌剤配置シートを備える、
ことを特徴とする、上記吸収性物品。
【００１２】
本願発明者が確認したところ、カルボキシル基を有する高分子吸収剤には、カチオン性抗菌剤が吸着され、カチオン性抗菌剤により、カルボキシル基を有する高分子吸収剤の吸液性が阻害される傾向があることを見出された。
【００１３】
吸液性の観点では、上記吸収性物品では、カチオン性抗菌剤が配置されたカチオン性抗菌剤配置シートが、カルボキシル基を有する高分子吸収剤を含む吸収コアよりも下方に存在するので、液透過性シートを透過して吸収コアに到達した、体液等の液体が、カチオン性抗菌剤配置シートと接触しにくく、そして体液等の液体が、カチオン性抗菌剤を物理的に含みにくい。その結果、カチオン性抗菌剤が、カルボキシル基を有する高分子吸収剤に吸着されにくく、カルボキシル基を有する高分子吸収剤の吸液性が、カチオン性抗菌剤により阻害されにくくなる。従って、高分子吸収剤が、その本来の機能を発揮する、すなわち、液透過性シートを透過し、吸収コアに到達した液体を吸収することができる。
【００１４】
また、抗菌性の観点では、吸収性物品が、例えば、一時的に大量の液体を吸収した場合には、液体が液透過性シート及び吸収コアを透過し、液体が吸収コアよりも下方に滞留することになる。吸収コアよりも下方に滞留した液体には、時間の経過とともに、菌が繁殖し、液体から悪臭が発生しやすくなる傾向がある。しかし、上記吸収性物品では、カチオン性抗菌剤配置シートに含まれるカチオン性抗菌剤が、吸収コアよりも下方に滞留した液体に直接作用し、吸収コアよりも下方に滞留する液体に菌が繁殖することを抑制し、液体から悪臭が発生することを抑制することができる。
【００１５】
［態様２］
上記カチオン性抗菌剤が、上記カチオン性抗菌剤配置シートに、カチオン性抗菌剤溶液として配置されている、態様１に記載の吸収性物品。
上記吸収性物品では、カチオン性抗菌剤が、カチオン性抗菌剤配置シートにカチオン性抗菌剤溶液として配置されているので、体液等の液体が、カチオン性抗菌剤配置シートに到達した際に、カチオン性抗菌剤溶液中に溶解したカチオン性抗菌剤が、迅速に体液等の液体に作用することができる。
【００１６】
また、カチオン性抗菌剤溶液は、カチオン性抗菌剤が固形（例えば、粉末）である場合と比較して、吸収コアにより移動しやすくなり、ひいては吸収コアに含まれるカルボキシル基を有する高分子吸収剤の吸液性がカチオン性抗菌剤により阻害されやすいとも考えられるが、上記吸収性物品では、態様１に記載されるように、カチオン性抗菌剤が吸収コアに到達しにくい構成を採用しているため、カチオン性抗菌剤が、カチオン性抗菌剤配置シートにカチオン性抗菌剤溶液として配置されている場合であっても、高分子吸収剤の吸液性が、カチオン性抗菌剤により阻害されにくい。
【００１７】
［態様３］
上記吸収コアが、セルロース系繊維をさらに含む、態様１又は２に記載の吸収性物品。
上記吸収性物品では、吸収コアがセルロース系繊維をさらに含むので、吸収性物品の使用時間が長くなる等により、カチオン性抗菌剤配置シートに含まれるカチオン性抗菌剤が、吸収した液体に溶解して吸収コアに移動した場合であっても、セルロース系繊維（のヒドロキシル基）が、カチオン性抗菌剤を吸着することができるので、カルボキシル基を有する高分子吸収剤の吸液性が、カチオン性抗菌剤により阻害されにくい。また、カチオン性抗菌剤が、カチオン性抗菌剤配置シートにカチオン性抗菌剤溶液として配置されている場合には、カチオン性抗菌剤溶液が、吸収コアに移動したときに、セルロース系繊維（のヒドロキシル基）が、カチオン性抗菌剤を吸着することができるので、カルボキシル基を有する高分子吸収剤の吸液性が、カチオン性抗菌剤により阻害されにくい。
【００１８】
［態様４］
上記吸収コアが、上記吸収コアの厚さ方向の中心面を境界にして、上方領域及び下方領域に区画され、上記上方領域における上記高分子吸収剤の比率が、上記下方領域における上記高分子吸収剤の比率よりも高い、態様１〜３のいずれか一項に記載の吸収性物品。
【００１９】
上記吸収性物品では、吸収コアの上方領域における高分子吸収剤の比率が、吸収コアの下方領域における高分子吸収剤の比率よりも高いので、液透過性シートを透過し、吸収コアに到達した液体を、上方領域に存在する高分子吸収剤が迅速に吸収しつつ、吸収コアの上方領域が吸収しきれなかった液体を、下方領域に存在する高分子吸収剤が吸収することができるので、吸収コアよりも下方、具体的には、カチオン性抗菌剤配置シートに到達する液体の量を少なくすることができる。
【００２０】
また、液透過性シート及び吸収コアを透過し、カチオン性抗菌剤配置シートに到達した液体が、カチオン性抗菌剤を溶解した状態で、上方、具体的には、吸収コアの下方領域に戻ってきた場合であっても、吸収コアの下方領域では、高分子吸収剤の比率が低いため、液体中に溶解したカチオン性抗菌剤による、高分子吸収剤の吸液性への影響を小さくすることができる。さらに、カチオン性抗菌剤が、カチオン性抗菌剤配置シートにカチオン性抗菌剤溶液として配置されている場合には、カチオン性抗菌剤溶液が、吸収コアに移動したときに、吸収コアの下方領域では、高分子吸収剤の比率が低いため、液体中に溶解したカチオン性抗菌剤による、高分子吸収剤の吸液性への影響を小さくすることができる。
【００２１】
［態様５］
上記吸収コアと、上記カチオン性抗菌剤配置シートとの間に追加シートをさらに含む、態様１〜４のいずれか一項に記載の吸収性物品。
上記吸収性物品は、吸収コアと、カチオン性抗菌剤配置シートとの間に追加シートをさらに含むので、カチオン性抗菌剤配置シートに配置されたカチオン性抗菌剤が、カチオン性抗菌剤配置シートから、追加シートを超えて吸収コアに移動しにくくなり、高分子吸収剤の吸液性が、カチオン性抗菌剤により阻害されにくい。また、（ｉ）液透過性シート及び吸収コアを透過し、カチオン性抗菌剤配置シートに到達した液体が、カチオン性抗菌剤を溶解した場合、並びに（ｉｉ）カチオン性抗菌剤が、カチオン性抗菌剤配置シートにカチオン性抗菌剤溶液として配置されている場合においても、同様の効果が得られる。
【００２２】
［態様６］
上記追加シートのシート密度が、上記カチオン性抗菌剤配置シートのシート密度よりも低い、態様５に記載の吸収性物品。
上記吸収性物品では、上記追加シートのシート密度が、カチオン性抗菌剤配置シートのシート密度よりも低い、すなわち、追加シートの毛細管力が、カチオン性抗菌剤配置シートの毛管力より弱い。従って、液透過性シート及び吸収コアを透過し、カチオン性抗菌剤配置シートに到達した液体が、カチオン性抗菌剤を溶解した場合に、液体に溶解したカチオン性抗菌剤が、カチオン性抗菌剤配置シートから追加シートに移動しにくくなり、ひいては液体に溶解したカチオン性抗菌剤が、追加シートを超えて吸収コアに移動しにくくなる。その結果、高分子吸収剤の吸液性が、カチオン性抗菌剤により阻害されにくい。
【００２３】
また、カチオン性抗菌剤が、カチオン性抗菌剤配置シートにカチオン性抗菌剤溶液として配置されている場合においても、カチオン性抗菌剤溶液が、カチオン性抗菌剤配置シートから追加シートに移動しにくくなり、ひいてはカチオン性抗菌剤溶液が、追加シートを超えて吸収コアに移動しにくくなる。その結果、高分子吸収剤の吸液性が、カチオン性抗菌剤により阻害されにくい。
【００２４】
［態様７］
上記追加シートが、セルロース系繊維を含む、態様５又は６に記載の吸収性物品。
上記吸収性物品では、追加シートがセルロース系繊維を含むので、カチオン性抗菌剤が、カチオン性抗菌剤配置シートから追加シートに移動した場合であっても、カチオン性抗菌剤が、セルロース系繊維（のヒドロキシル基）に吸着されやすく、カチオン性抗菌剤が、吸収コアに移動しにくくなり、ひいてはカチオン性抗菌剤が、追加シートを超えて吸収コアに移動しにくくなる。その結果、高分子吸収剤の吸液性が、カチオン性抗菌剤により阻害されにくい。また、（ｉ）液透過性シート及び吸収コアを透過し、カチオン性抗菌剤配置シートに到達した液体が、カチオン性抗菌剤を溶解した場合、並びに（ｉｉ）カチオン性抗菌剤が、カチオン性抗菌剤配置シートにカチオン性抗菌剤溶液として配置されている場合においても、同様の効果が得られる。
【００２５】
［態様８］
上記追加シートが疎水性を有する、態様５〜７のいずれか一項に記載の吸収性物品。
上記吸収性物品では、追加シートが疎水性を有するので、液透過性シート及び吸収コアを透過し、カチオン性抗菌剤配置シートに到達した、体液等の液体が、カチオン性抗菌剤を溶解した場合に、カチオン性抗菌剤を含む液体が、カチオン性抗菌剤配置シートから、疎水性を有する追加シートを超えて、吸収コアに移動しにくくなる。また、カチオン性抗菌剤が、カチオン性抗菌剤配置シートにカチオン性抗菌剤溶液として配置されている場合にも、カチオン性抗菌剤溶液が、カチオン性抗菌剤配置シートから、疎水性を有する追加シートを超えて、吸収コアに移動しにくくなる。その結果、高分子吸収剤の吸液性が、カチオン性抗菌剤により阻害されにくい。
【００２６】
［態様９］
上記吸収コアと、上記カチオン性抗菌剤配置シートとの間に、液不透過性材料層を有する、態様１〜８のいずれか一項に記載の吸収性物品。
【００２７】
上記吸収性物品では、吸収コアと、カチオン性抗菌剤配置シートとの間に液不透過性材料層が存在するので、液透過性シート及び吸収コアを透過し、カチオン性抗菌剤配置シートに到達した、体液等の液体が、カチオン性抗菌剤を溶解した場合に、カチオン性抗菌剤を含む液体が、カチオン性抗菌剤配置シートから、液不透過性材料層を超えて、吸収コアに移動しにくくなる。また、カチオン性抗菌剤が、カチオン性抗菌剤配置シートにカチオン性抗菌剤溶液として配置されている場合にも、カチオン性抗菌剤溶液が、カチオン性抗菌剤配置シートから、液不透過性材料層を超えて、吸収コアに移動しにくくなる。その結果、高分子吸収剤の吸液性が、カチオン性抗菌剤により阻害されにくい。
【００２８】
［態様１０］
上記液透過性シートの肌当接面と、上記吸収コアの着衣側面との間にカチオン性抗菌剤が配置されていない、態様１〜９のいずれか一項に記載の吸収性物品。
上記吸収性物品では、上記液透過性シートの肌当接面と、上記吸収コアの着衣側面との間にカチオン性抗菌剤が配置されていないので、液透過性シートを透過し、吸収コアに到達する液体が、カチオン性抗菌剤を含みにくい。その結果、高分子吸収剤の吸液性が、カチオン性抗菌剤により阻害されにくい。
【００２９】
本開示の吸収性物品について、以下、詳細に説明する。
［第１実施形態］
図１及び図２は、本開示の実施形態の１つ（以下、「第１実施形態」と称する）に従う吸収性物品１、具体的には、生理用ナプキンを説明するための図である。具体的には、図１は、第１実施形態に従う吸収性物品１の平面図である。図２は、図１に示される吸収性物品１のＩＩ−ＩＩ端面における部分端面図である。
【００３０】
第１実施形態に従う吸収性物品１は、お互いに直交する、長手方向Ｌ、幅方向Ｗ及び厚さ方向Ｔを有し、そして液透過性シート３と、吸収体７と、布帛シート９と、液不透過性シート５とを、その順番で備える。第１実施形態に従う吸収性物品１は、サイドシート１０１と、吸収性物品１の端部をシールするシール部１０３と、液透過性シート３、吸収体７及び布帛シート９をエンボスすることにより形成されたエンボス部１０５と、吸収性物品１を着衣に固定する固定部１０７とを有するが、いずれも当技術分野で公知の物であるので詳細な説明を省略する。
【００３１】
吸収体７は、吸収コア１１と、コアラップ、具体的には、吸収コア１１の液透過性シート３よりに配置された上方コアラップ１３と、吸収コア１１の液不透過性シート５よりに配置された下方コアラップ１５とを備える。吸収コア１１は、カルボキシル基を有する高分子吸収剤１７と、パルプ繊維１９とを含む。また、吸収コア１１は、吸収コア１１の厚さ方向Ｔの中心面（図示せず）を境界にして、上方領域２３及び下方領域２５に区画される。
【００３２】
吸収コア１１と、液不透過性シート５との間、より具体的には、下方コアラップ１５と、液不透過性シート５との間に存在する布帛シート９には、カチオン性抗菌剤（図示せず）が配置されており、具体的には塗工されており、布帛シート９が、カチオン性抗菌剤配置シート２１を構成している。
【００３３】
カチオン性抗菌剤配置シート２１を構成する布帛シート９が、吸収コア１１よりも着衣側、具体的には、下方コアラップ１５と、液不透過性シート５との間に存在することにより、液透過性シート３を透過し、吸収コア１１に到達した、体液等の液体が、カチオン性抗菌剤配置シート２１と物理的に接触しにくく、カチオン性抗菌剤を含みにくい。従って、カチオン性抗菌剤が、カルボキシル基を有する高分子吸収剤１７に吸着されにくく、カルボキシル基を有する高分子吸収剤１７の吸液性が、カチオン性抗菌剤により阻害されにくい。その結果、高分子吸収剤１７が、その本来の機能に従って、液透過性シート３を透過し、吸収コア１１に到達した液体を吸収することができる。
【００３４】
また、吸収性物品１が、例えば、一時的に大量に液体を吸収する等により、液透過性シート３及び吸収コア１１を透過した液体が、吸収コア１１よりも下方に滞留した場合には、時間の経過とともに液体に菌が繁殖し、液体から悪臭が発生する場合がある。吸収性物品１では、吸収コア１１よりも下方に滞留した液体に、カチオン性抗菌剤配置シート２１に含まれるカチオン性抗菌剤（図示せず）が直接作用し、菌の繁殖、並びに悪臭の発生を抑制することができる。
なお、吸収性物品１が、少量から通常量の液体を吸収した場合には、液透過性シート３を透過して吸収コア１１に到達した液体は、吸収コア１１に含まれる高分子吸収剤１７に吸収されるので、液体に菌が繁殖しにくく、液体から悪臭が発生しにくい。
【００３５】
また、第１実施形態に従う吸収性物品１では、吸収コア１１の上方領域２３における高分子吸収剤１７の比率が、吸収コア１１の下方領域２５における高分子吸収剤１７の比率よりも高い。そうすることにより、液透過性シート３を透過し、吸収コア１１に到達した液体を、上方領域２３に存在する高分子吸収剤１７が迅速に吸収しつつ、上方領域２３が吸収しきれなかった液体を、下方領域２５に存在する高分子吸収剤１７が吸収することができるので、カチオン性抗菌剤配置シート２１に到達する液体の量を少なくすることができる。
【００３６】
また、液透過性シート３及び吸収コア１１を透過し、カチオン性抗菌剤配置シート２１に到達した液体が、カチオン性抗菌剤を溶解した状態で、吸収コア１１の下方領域２５に戻ってきた場合であっても、吸収コア１１の下方領域２５では、高分子吸収剤１７の比率が低いため、液体中に溶解したカチオン性抗菌剤による、高分子吸収剤１７の吸液性への影響を小さくすることができる。さらに、カチオン性抗菌剤が、カチオン性抗菌剤配置シート２１にカチオン性抗菌剤溶液として配置されている場合には、カチオン性抗菌剤溶液が、吸収コア１１に移動したときに、吸収コア１１の下方領域２５では、高分子吸収剤１７の比率が低いため、液体中に溶解したカチオン性抗菌剤による、高分子吸収剤１７の吸液性への影響を小さくすることができる。
なお、高分子吸収剤１７の比率は、吸収コア１１、具体的には、高分子吸収剤１７及びパルプ繊維１９に対する、高分子吸収剤１７の質量比を意味する。
【００３７】
カチオン性抗菌剤配置シート２１を構成している布帛シート９と、吸収コア１１との間には、追加シートとしての下方コアラップ１５が存在し、下方コアラップ１５は、カチオン性抗菌剤が、カチオン性抗菌剤配置シート２１を構成する布帛シート９から、吸収コア１１の内部へ移動することを抑制するように機能する。第１実施形態では、下方コアラップ１５が、パルプ繊維から構成されているため、カチオン性抗菌剤が、カチオン性抗菌剤配置シート２１から下方コアラップ１５に移動した場合であっても、カチオン性抗菌剤が、パルプ繊維（のヒドロキシル基）に吸着されやすく、カチオン性抗菌剤が、吸収コア１１に移動しにくくなり、ひいてはカチオン性抗菌剤が、下方コアラップ１５を超えて吸収コア１１に移動しにくくなる。
【００３８】
第１実施形態では、カチオン性抗菌剤配置シート２１を構成する布帛シート９のシート密度が、下方コアラップ１５のシート密度よりも高い。そうすることにより、カチオン性抗菌剤配置シート２１を構成する布帛シート９の毛管力が、下方コアラップ１５の毛管力より高くなり、液透過性シート３及び吸収コア１１を透過し、カチオン性抗菌剤配置シート２１を構成する布帛シート９に到達した液体が、カチオン性抗菌剤を溶解した場合に、液体に溶解したカチオン性抗菌剤が、カチオン性抗菌剤配置シート２１から下方コアラップ１５に移動しにくくなり、ひいては液体に溶解したカチオン性抗菌剤が、下方コアラップ１５を超えて吸収コア１１に移動しにくくなる。
【００３９】
また、カチオン性抗菌剤が、カチオン性抗菌剤配置シート２１を構成する布帛シート９にカチオン性抗菌剤溶液として配置されている場合においても、カチオン性抗菌剤溶液が、カチオン性抗菌剤配置シート２１から下方コアラップ１５に移動しにくくなり、ひいてはカチオン性抗菌剤溶液が、下方コアラップ１５を超えて吸収コア１１に移動しにくくなる。
【００４０】
第１実施形態では、液透過性シート３の肌当接面（図示せず）と、吸収コア１１の着衣側面（図示せず）との間、具体的には、液透過性シート３、上方コアラップ１３及び吸収コア１１に、カチオン性抗菌剤が配置されていない。そうすることにより、液透過性シート３を透過し、吸収コア１１に到達する液体が、カチオン性抗菌剤を含みにくい。その結果、高分子吸収剤１７の吸液性が、カチオン性抗菌剤により阻害されにくい。
【００４１】
［第２実施形態］
図３は、本開示の別の実施形態（以下、「第２実施形態」と称する）に従う吸収性物品１を説明するための図である。具体的には、図３は、図１のＩＩ−ＩＩ端面における部分端面図に相当する。
第２実施形態に従う吸収性物品１は、液透過性シート３と、第１吸収体２９と、布帛シート９と、第２吸収体３１と、液不透過性シート５とをその順番で備える。
【００４２】
第１吸収体２９は、第１実施形態に従う吸収性物品１の吸収体７と同様であり、具体的には、第１吸収体２９は、上方コアラップ１３と、吸収コア１１と、下方コアラップ１５とを、その順番で備える。吸収コア１１は、カルボキシル基を有する高分子吸収剤１７と、パルプ繊維１９とを含む。
また、第１吸収体２９と、第２吸収体３１との間には、カチオン性抗菌剤を含むカチオン性抗菌剤配置シート２１を構成する布帛シート９が配置されている。なお、第２実施形態に従う吸収性物品１は、第１吸収体２９と、布帛シート９とをエンボスすることにより形成されたエンボス部１０５を備える。
【００４３】
第２吸収体３１は、液透過性シート３よりの第２上方コアラップ３５と、液不透過性シート５よりの第２下方コアラップ３７と、第２上方コアラップ３５及び第２下方コアラップ３７の間の高分子吸収剤層３３とを備える。高分子吸収剤層３３は、カルボキシル基を有する高分子吸収剤１７から構成されている。
【００４４】
第２実施形態に従う吸収性物品１は、液透過性シート３よりの第１吸収体２９と、液不透過性シート５よりの第２吸収体３１とを含み、第１吸収体２９は、カチオン性抗菌剤配置シート２１を構成する布帛シート９よりも肌面側に配置されている。従って、第１実施形態と同様に、第１吸収体２９、特にカルボキシル基を有する高分子吸収剤１７が、その吸液性を発揮することができる。
【００４５】
また、第２実施形態に従う吸収性物品１は、第１吸収体２９と、カチオン性抗菌剤配置シート２１を構成する布帛シート９とよりも下方に第２吸収体３１を備えるとともに、第２吸収体３１が、カルボキシル基を有する高分子吸収剤１７から成る高分子吸収剤層３３を含む。従って、例えば、吸収性物品１が、一時的に大量の液体を吸収した場合等に、液透過性シート３及び第１吸収体２９を透過し、第１吸収体２９よりも下方に滞留した液体に対し、第２吸収体３１の高分子吸収剤層３３の高分子吸収剤１７が、液体を吸収するまでの間に、カチオン性抗菌剤配置シート２１を構成する布帛シート９のカチオン性抗菌剤が作用し、液体に菌が繁殖すること、並びに液体から悪臭が発生することを抑制することができる。
その他の部分は、第１実施形態と同様であるため、説明を省略する。
【００４６】
［第３実施形態］
図４は、本開示の別の実施形態（以下、「第３実施形態」と称する）に従う吸収性物品１を説明するための図である。具体的には、図４は、図１のＩＩ−ＩＩ端面における部分端面図に相当する。
第３実施形態に従う吸収性物品１は、液透過性シート３と、吸収体７と、液不透過性材料層３９と、カチオン性抗菌剤配置シート２１を構成する布帛シート９と、液不透過性シート５とをその順番で備える。また、吸収体７は、吸収コア１１の液透過性シート３よりに配置された上方コアラップ１３と、吸収コア１１と、吸収コア１１の液不透過性シート５よりに配置された下方コアラップ１５とを備える。
【００４７】
液不透過性材料層３９は、下方コアラップ１５の着衣側面（図示せず）に間欠的に塗工されたホットメルト接着剤により形成され、吸収性物品１の平面方向に網状に拡がっている。第３実施形態に従う吸収性物品１が、吸収体７と、カチオン性抗菌剤配置シート２１を構成する布帛シート９との間に、液不透過性材料層３９を備えることにより、カチオン性抗菌剤配置シート２１を構成する布帛シート９から、カチオン性抗菌剤が、液不透過性材料層３９を超えて、吸収コア１１に移動しにくくなり、ひいては吸収コア１１に含まれるカルボキシル基を有する高分子吸収剤１７の吸液性が、カチオン性抗菌剤により阻害されにくくなる。
その他の部分は、第１実施形態と同様であるため、説明を省略する。
【００４８】
本開示の吸収性物品では、吸収コアに含まれる、カルボキシル基を有する高分子吸収剤としては、カルボキシル基を有するものであれば、特に制限されず、例えば、デンプン系、セルロース系、合成ポリマー系の高分子吸収剤が挙げられる。デンプン系又はセルロース系の高分子吸収剤としては、例えば、デンプン−アクリル酸（塩）グラフト共重合体、デンプン−アクリロニトリル共重合体のケン化物、ナトリウムカルボキシメチルセルロースの架橋物等が挙げられ、合成ポリマー系の高分子吸収剤としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸水性ポリマー（ＳＡＰ，Ｓｕｐｅｒ  ａｂｓｏｒｂｅｎｔ  Ｐｏｌｙｍｅｒ）等が挙げられ、本開示の効果の観点からは、ポリアクリル酸塩系（特に、ポリアクリル酸ナトリウム系）の高分子吸収剤が好ましい。
【００４９】
本開示の吸収性物品では、カチオン性抗菌剤配置シートに配置されうるカチオン性抗菌剤としては、当技術分野で公知のものが含まれ、例えば、第４級アンモニウム塩、グアニジン系抗菌剤（例えば、グルコン酸クロルヘキシジン、塩酸クロルヘキシジン）、ビグアナイド系抗菌剤、金属イオン担持物、ヘキセチジン、メタロニダゾール等が挙げられ、第４級アンモニウム塩が好ましい。
【００５０】
第４級アンモニウム塩は、第４級アンモニウム塩構造を分子内に有していれば、特に限定されるものではないが、例えば、アルキルトリメチルアンモニウム塩、ポリオキシエチレンアルキルメチルアンモニウム塩、アルキルベンジルジメチルアンモニウム塩、アルキルピリジニウム塩等が挙げられ、下記式（１）〜（４）で示される第４級アンモニウム塩が挙げられる。
［Ｒ（ＣＨ3）3Ｎ+］lＸ    式（１）
［Ｒ（ＣＨ3）Ｎ+（ＣＨ2ＣＨ2Ｏ）mＨ［（ＣＨ2ＣＨ2Ｏ）nＨ］］lＸ    式（２）
［Ｒ（ＣＨ3）2Ｎ+ＣＨ2Ｃ6Ｈ5］lＸ    式（３）
［ＲＰｙ+］lＸ    式（４）
（式中、Ｒは、それぞれ独立して、アルキル基を表し、Ｘは、それぞれ独立して、１価または２価の陰イオンを表す。ｌは、それぞれ独立して、１又は２の整数を表し、ｍ及びｎは、それぞれ独立して、２〜４０の整数を表し、Ｐｙはピリジン環を表す。）
【００５１】
上記アルキル基は、殺菌力の高さから、長鎖アルキル基であることが好ましく、炭素数８〜１８の飽和炭化水素基であることがより好ましく、オクチル基、ラウリル基、ミリスチル基、及びセチル基であることがさらに好ましく、そしてラウリル基であることがさらにいっそう好ましい。
第４級アンモニウム塩は、Ｆ-、Ｃｌ-、Ｂｒ-、Ｉ-等のハロゲン化物イオン、ＮＯ-、およびＳＯ42-等との塩であり、電気陰性度が高いＣｌ-等との塩であることが好ましい。
第４級アンモニウム塩の好ましい具体例としては、塩化ベンザルコニウム、塩化セチルピリジニウム、塩化ベンゼトニウム、塩化デカリニウム等が挙げられる。
【００５２】
上記ビグアナイド系抗菌剤としては、ポリアミノプロピルビグアナイド及びその塩、例えば、塩酸塩、ステアリン酸塩、リン酸塩等、グルコン酸クロルヘキシジン、塩酸クロルヘキシジン、ポリヘキサメチレングアニジン塩酸塩、ポリヘキサメチレングアニジンリン酸塩、ポリヘキサメチレンビグアナイド塩酸塩、ポリヘキサメチレンビグアナイドステアリン酸塩、ポリ［オキシエチレン（ジメチルイミニオ）エチレン（ジメチルイミニオ）エチレンジクロリド］、並びにそれらの任意の組み合わせが挙げられる。
【００５３】
上記金属イオン担持物としては、金属イオンを放出しうるもの、例えば、金属塩が挙げられる。上記金属イオンとしては、例えば、銀イオン、亜鉛イオン、アルミニウムイオン、コバルトイオン、ジルコニウムイオン、セリウムイオン、鉄イオン、銅イオン、ニッケルイオン、白金イオン等が挙げられ、銀イオンが好ましい。
上記金属塩しては、例えば、硝酸塩、例えば、硝酸銀、硝酸アルミニウム、硝酸コバルト、硝酸ジルコニウム、硝酸セリウム、硝酸鉄、硝酸銅、硝酸ニッケル、酢酸塩、例えば、酢酸銀、塩酸塩、例えば、塩化セリウム、塩化鉄、塩化亜鉛、塩化銅、硫酸塩、例えば、硫酸銀、硫酸アルミニウム、硫酸銅、硫酸亜鉛等が挙げられる。
【００５４】
上記カチオン性抗菌剤は、カチオン性抗菌剤配置シートに、固形状で、例えば、カチオン性抗菌剤の粉末として、又は溶液状で、例えば、カチオン性抗菌剤と、溶媒（例えば、水）とを含むカチオン性抗菌剤溶液として配置されうる。
【００５５】
本開示の吸収性物品では、第１実施形態に示されるように、吸収コアが、カルボキシル基を有する高分子吸収剤に加えて、セルロース系繊維をさらに含むことが好ましい。吸収性物品の使用時間が長くなる等により、カチオン性抗菌剤配置シートに含まれるカチオン性抗菌剤が、吸収した液体に溶解して吸収コアに移動した場合であっても、セルロース系繊維（のヒドロキシル基）が、カチオン性抗菌剤を吸着することができる等の理由による。
【００５６】
上記セルロース系繊維としては、ヒドロキシル基を有するものが挙げられ、例えば、天然セルロース繊維、再生セルロース繊維、精製セルロース繊維及び半合成セルロース繊維が挙げられる。
上記天然セルロース繊維としては、植物繊維、例えば、パルプ繊維（例えば、木材パルプ、非木材パルプ）、種子毛繊維（例えば、コットン）、じん皮繊維（例えば、麻）、葉脈繊維（例えば、マニラ麻）、果実繊維（例えば、やし）が挙げられる。
【００５７】
上記再生セルロース繊維としては、レーヨン、例えば、ビスコースから得られるビスコースレーヨン、ポリノジック及びモダール、セルロースの銅アンモニア塩溶液から得られる銅アンモニアレーヨン（「キュプラ」とも称される）等の繊維が挙げられる。
【００５８】
上記精製セルロース繊維としては、リヨセル、具体的には、パルプを、Ｎ−メチルモルホリンＮ−オキシドの水溶液に溶解させて紡糸原液（ドープ）とし、Ｎ−メチルモルホリンＮ−オキシドの希薄溶液中に押出して繊維としたものが挙げられる。上記精製セルロースは、例えば、テンセル（商標）として市販されている。
上記半合成繊維としては、半合成セルロース、例えば、アセテート繊維、例えば、トリアセテート及びジアセテート等の繊維が挙げられる。
【００５９】
本開示の吸収性物品において、吸収コアが、高分子吸収剤と、その他の成分（例えば、セルロース系繊維）とを含む場合には、吸収コアの厚さ方向において、高分子吸収剤の比率が一定であっても、一定でなくともよい。
吸収コアの厚さ方向において、高分子吸収剤の比率が一定でない場合には、第１実施形態に示されるように、吸収コアの上方領域における高分子吸収剤の比率が、吸収コアの下方領域における高分子吸収剤の比率よりも好ましくは高く、より好ましくは１．１〜２．０倍高く、そしてさらに好ましくは１．２〜１．８倍高い。吸液性と、抗菌性との両立の観点からである。
【００６０】
高分子吸収剤の比率は、吸収体から上方領域及び下方領域を切り出し、上方領域及び下方領域のそれぞれにおいて、高分子吸収剤と、その他の成分とを選別し、それらの質量を測定することにより算出することができる。
【００６１】
本開示の吸収性物品では、カルボキシル基を有する高分子吸収剤を含む吸収コアと、カチオン性抗菌剤を配置したカチオン性抗菌剤配置シートとの間に追加シートが存在することが好ましい。また、上記追加シートは、カチオン性抗菌剤が、カチオン性抗菌剤配置シートから吸収コアに移動することを抑制することができることがより好ましい。そうすることにより、カルボキシル基を有する高分子吸収剤の吸液性が、カチオン性抗菌剤により阻害されにくくなる。
【００６２】
上記追加シートとしては、上述のセルロース系繊維を含む布帛（例えば、不織布、織布等）であることが好ましく、ヒドロキシル基を有するセルロース系繊維を含む布帛であることがより好ましい。カチオン性抗菌剤配置シートに配置されたカチオン性抗菌剤が、追加シート内のセルロース系繊維のヒドロキシル基に吸着しやすくなり、カチオン性抗菌剤配置シートから吸収コアに向かって移動したカチオン性抗菌剤が、追加シート内に留まりやすくなり、その結果、カチオン性抗菌剤が、追加シートを超えて吸収コアに移動しにくくなるからである。
【００６３】
上述のセルロース系繊維を含む布帛としては、パルプ繊維から構成されるティッシュ等が挙げられ、当該ティッシュを含む例としては、吸収性物品が、吸収体のコアラップとして、ティッシュを含む例が挙げられる。
【００６４】
上記追加シートのシート密度は、カチオン性抗菌剤配置シートのシート密度よりも低いことが好ましい。そうすることにより、カチオン性抗菌剤が、カチオン性抗菌剤配置シートから追加シートに移動しにくくなり、ひいては、カチオン性抗菌剤が、カチオン性抗菌剤配置シートから吸収コアに移動しにくくなる。
【００６５】
上記シート密度は、カチオン性抗菌剤を含まないシートの坪量を、シートの厚さで除することにより算出される。
また、シートの厚さは、以下の通り測定する。
株式会社大栄科学精器製作所製のＦＳ−６０ＤＳ（測定子の面積：１５ｃｍ2）を用いて、シートを、定圧：３ｇ／ｃｍ2で加圧し、加圧１０秒後の高さを、シートの厚さとして採用する。
【００６６】
上記追加シートは、疎水性を有していてもよい。そうすることにより、カチオン性抗菌剤が、カチオン性抗菌剤配置シートから追加シートを透過して、吸収コアに移動しにくくなり、そして高分子吸収剤の吸液性がカチオン性抗菌剤により阻害されにくくなる。
上記作用は、カチオン性抗菌剤配置シートが、カチオン性抗菌剤を、カチオン性抗菌剤水溶液として含む場合により顕著である。
【００６７】
本開示の吸収性物品では、吸収コアと、カチオン性抗菌剤含有層との間に、液不透過性材料から構成される液不透過性材料層を含むことができる。当該液不透過性材料層を構成する材料としては、例えば、ホットメルト接着剤が挙げられる。上記液不透過性材料層は、吸収性物品の平面方向に連続的に配置されていてもよいが、吸収性物品の平面方向に間欠的に、例えば、網目状に配置されていることが好ましい。吸収性物品が吸収した液体を、カチオン性抗菌剤含有層に到達させ、液体にカチオン性抗菌剤を作用させる観点からである。
【００６８】
上記液不透過性材料層の液不透過性材料は、疎水性を有することが好ましい。そうすることにより、カチオン性抗菌剤が、カチオン性抗菌剤配置シートから液不透過性材料層を透過して、吸収コアに移動しにくくなり、そして高分子吸収剤の吸液性がカチオン性抗菌剤により阻害されにくくなる。
上記作用は、カチオン性抗菌剤配置シートが、カチオン性抗菌剤を、カチオン性抗菌剤水溶液として含む場合により顕著である。
【００６９】
本開示の吸収性物品は、液透過性シートの肌当接面と、吸収コアの着衣側面との間にカチオン性抗菌剤が配置されていない、例えば、液透過性シート、吸収コア、上方コアラップ、液透過性シートと、上方コアラップとの間に配置されたセカンドシート等に、カチオン性抗菌剤が配置されていないことが好ましい。換言すると、液透過性シート、吸収コア、上方コアラップ、液透過性シートと、上方コアラップとの間に配置されたセカンドシート等が、カチオン性抗菌剤が配置されたカチオン性抗菌剤配置シートを構成しないことが好ましい。そうすることにより、体液等の液体が、液透過性シートを透過し、吸収コアに移動するまでの間に、液体にカチオン性抗菌剤が溶解しにくくなり、液体に溶解したカチオン性抗菌剤が、吸収コアのカルボキシル基を有する高分子吸収剤の吸液性を阻害することが生じにくくなる。
【符号の説明】
【００７０】
１    吸収性物品
３    液透過性シート
５    液不透過性シート
７    吸収体
９    布帛シート
１１    吸収コア
１３    上方コアラップ
１５    下方コアラップ
１７    高分子吸収剤
１９    パルプ繊維
２１    カチオン性抗菌剤配置シート
２３    上方領域
２５    下方領域
２９    第１吸収体
３１    第２吸収体
３３    高分子吸収剤層
３５    第２上方コアラップ
３７    第２下方コアラップ
３９    液不透過性材料層
１０１    サイドシート
１０３    シール部
１０５    エンボス部
１０７    固定部
Ｌ    長手方向
Ｗ    幅方向
Ｔ    厚さ方向
【図１】
2017221614.tif 000003
【図２】
2017221614.tif 000004
【図３】
2017221614.tif 000005
【図４】
2017221614.tif 000006